(57)【要約】【課題】２つの蓄熱剤を重ねて配置して被保管物を定温で保管する場合に、被保管物に対する２つの蓄熱剤の位置関係が誤ったものとなることを回避する。【解決手段】蓄熱剤を収納する２つの収納部２１，２２を有し、このうち一方の収納部２１には蓄熱剤４１が取り出し不可能に収納されており、他方の収納部２２の外面に保管容器に取り付けられるための面ファスナー３０を具備する。【選択図】図１
2014125259.tif 000002
【特許請求の範囲】
【請求項１】
被保管物が収容される保管容器の内壁面に取り付けられる定温保管用具であって、
第１の蓄熱剤が取り出し不可能に収納された第１の収納部と、
当該定温保管用具が前記保管容器に取り付けられた場合に前記第１の収納部の前記内壁面側に隣接し、第２の蓄熱剤が取り出し可能に収納される第２の収納部とを有し、
前記第２の収納部は、前記第１の収納部とは反対側の外面に、当該定温保管用具を前記保管容器に取り付けるための取り付け部を具備する定温保管用具。
【請求項２】
請求項１に記載の定温保管用具において、
前記第１の蓄熱剤はクッション性を有し、
前記第１の収納部の前記第２の収納部とは反対側の面は可撓性を有する定温保管用具。
【請求項３】
請求項１または請求項２に記載の定温保管用具が取り付けられた保管容器。
【発明の詳細な説明】
【技術分野】
【０００１】
本発明は、被保管物を蓄熱剤を用いて定温保管するために用いる定温保管用具に関し、特に、２つの蓄熱剤を用いて被保管物を定温保管するための定温保管用具に関する。
【背景技術】
【０００２】
従来より、蓄熱剤を用いて食品等の被保管物を保冷することが行われている。一般に使用されている蓄熱剤は、０℃未満の融解点を持つものが用いられ、例えば、冷凍庫で−２５℃程度の低温で冷却された後に冷凍庫から取り出されて使用される。また、蓄熱剤を凍結させる場合は、凝固点よりも１０℃以上低い環境で凍結させることが一般的であることから、融解点が０℃近傍の蓄熱剤においても、−２５℃の環境で凍結させることがしばしばある。そのため、蓄熱剤を冷凍庫から取り出した状態のまま使用すると、被保管物が０℃以下まで冷やされることになる。
【０００３】
このように蓄熱剤を用いて保冷される被保管物の中には、例えば、検体等のように、その保管環境が２〜８℃程度が好ましく、０℃以下で保冷されることが好ましくないものもある。そこで、そのような被保管物を保冷する場合は、蓄熱剤を冷凍庫から取り出した後に、蓄熱剤の温度を融解点まで上昇させるために常温や冷蔵庫にて３０分〜３時間程度放置した後に使用することが行われている。ところが、蓄熱剤を冷凍庫から取り出してある程度の時間放置することは、効率的ではなく、使用したい時にすぐに使用できない。
【０００４】
ここで、２つの蓄熱剤を用いて被保管物が冷やされすぎないようにすることが考えられている。その場合、２つの蓄熱剤を重ね合わせるように配置し、被保管物側ではない蓄熱剤を凝固した状態とするとともに、被保管物側の蓄熱剤を凝固していない状態とすることにより、被保管物を、凝固していない蓄熱剤を介して凝固した蓄熱剤によって間接的に保冷する。これにより、被保管物の温度が、凝固していない蓄熱剤の凝固点よりも低くなることがなくなり、被保管物が冷やされすぎることを回避することができる。
【０００５】
また、これとは反対に、寒冷地等において上述した蓄熱剤を用いて被保管物を外気温よりも高い所望の温度に保つことが行われており、この場合は、２つの蓄熱剤を上記同様に重ね合わせるように配置し、被保管物側ではない蓄熱剤を凝固していない状態とするとともに、被保管物側の蓄熱剤を凝固した状態とすることにより、被保管物を外気温よりも高い所望の温度に保温することができる。
【０００６】
このように２つの蓄熱剤を重ね合わせて被保管物を定温で保管するための定温保管用具が、例えば特許文献１に開示されている。この定温保管用具は、被保管物が収容される保管容器の内壁面に取り付け可能に構成されているとともに、蓄熱剤を収納可能な二層のポケットを有している。そして、二重のポケットそれぞれに収納される蓄熱剤を、上述したように、被保管物側のものと被保管物側ではないものとの一方を凝固した状態とするとともに、他方を凝固していない状態とすることにより、被保管物を所望の温度で保管することができる。
【先行技術文献】
【特許文献】
【０００７】
【特許文献１】意匠登録第１４３３３２２号公報
【発明の概要】
【発明が解決しようとする課題】
【０００８】
しかしながら、上述したような定温保管用具においては、二層のポケットの一方に凝固した蓄熱剤を収納し、他方に凝固していない蓄熱剤を収納することになるため、これらを入れ間違えてしまう虞れがあり、入れ間違えた場合、被保管物を所望の温度で保管することができなくなってしまう。また、保管容器の内壁面に取り付けられる際に、取り付けの向きを間違えてしまう虞れがあり、その場合、上述したように凝固した蓄熱剤と凝固していない蓄熱剤を入れ間違わなかったとしても、凝固した蓄熱剤と凝固していない蓄熱剤との配置が所望のものとは逆となり、上記同様に被保管物を所望の温度で保管することができなくなってしまう。
【０００９】
本発明は、上述したような従来の技術が有する問題点に鑑みてなされたものであって、２つの蓄熱剤を重ねて配置して被保管物を定温で保管する場合に、被保管物に対する２つの蓄熱剤の位置関係が誤ったものとなることを回避できる定温保管用具及びこれが取り付けられた保管容器を提供することを目的とする。
【課題を解決するための手段】
【００１０】
上記目的を達成するために本発明は、
被保管物が収容される保管容器の内壁面に取り付けられる定温保管用具であって、
第１の蓄熱剤が取り出し不可能に収納された第１の収納部と、
当該定温保管用具が前記保管容器に取り付けられた場合に前記第１の収納部の前記内壁面側に隣接し、第２の蓄熱剤が取り出し可能に収納される第２の収納部とを有し、
前記第２の収納部は、前記第１の収納部とは反対側の外面に、当該定温保管用具を前記保管容器に取り付けるための取り付け部を具備する。
【００１１】
上記のように構成された本発明においては、被保管物を定温で保管するための蓄熱剤を収納する第１の収納部と第２の収納部のうち、第２の収納部の第１の収納部とは反対側の外面に設けられた取り付け部によって保管容器に取り付けられるので、保管容器に対する取り付け向きを間違えてしまうことがない。また、第１の収納部は、第１の蓄熱剤が取り出し不可能に収納されているので、使用時には第２の収納部に第２の蓄熱剤を収納するだけとなり、被保管物を所望の温度で保管するために第１の蓄熱剤と第２の蓄熱剤との一方を凝固していない状態とし、他方を凝固した状態とした場合に、これら凝固していない蓄熱剤と凝固している蓄熱剤とを、第１の収納部と第２の収納部に入れ間違えることがない。また、上述したように保管容器に正しい向きで取り付けられ、かつ、第１の収納部と第２の収納部に蓄熱剤を入れ間違えることがないことから、被保管物に対する２つの蓄熱剤の位置関係が誤ったものとなることがない。
【００１２】
また、第１の蓄熱剤がクッション性を有し、第１の収納部の第２の収納部とは反対側の面が可撓性を有するものとすれば、被保管物を衝撃から保護することができるとともに、第１の収納部を介して被保管物の外面に第１の蓄熱剤が密着することになり、定温保管の効果が向上する。
【発明の効果】
【００１３】
本発明によれば、第１の収納部には第１の蓄熱剤が取り出し不可能に収納されており、第２の収納部の外面に保管容器に取り付けられるための取り付け部を具備しているため、使用時は第２の収納部に第２の蓄熱剤を収納するとともに、取り付け部によって保管容器に取り付けることになり、それにより、被保管物に対する２つの蓄熱剤の位置関係が誤ったものとなることが回避される。
【００１４】
また、第１の蓄熱剤がクッション性を有し、第１の収納部の第２の収納部とは反対側の面が可撓性を有する構成としたものにおいては、被保管物を衝撃から保護することができるとともに、第１の収納部を介して被保管物の外面に第１の蓄熱剤が密着することになり、定温保管の効果を向上させることができる。
【図面の簡単な説明】
【００１５】
【図１】本発明の定温保管用具の実施の一形態を示す図であり、（ａ）は外観斜視図、（ｂ）は裏面側から見た図、（ｃ）は（ｂ）に示したＡ−Ａ’断面図である。
【図２】図１に示した定温保管用具の保管容器への取り付け方法を説明するための図であり、（ａ）は定温保管用具を保管容器に取り付ける際の外観斜視図、（ｂ）は（ａ）に示した矢印Ａ方向から見た保管容器の内部構造を示す図である。
【図３】図１に示した定温保管用具が図２に示したように保管容器に取り付けられた際の作用を説明するための図である。
【図４】本発明の定温保管用具の他の実施の形態を示す図であり、（ａ），（ｂ）は外観斜視図、（ｃ）は裏面側から見た図、（ｄ）は（ｃ）に示したＡ−Ａ’断面図である。
【発明を実施するための形態】
【００１６】
以下に、本発明の実施の形態について図面を参照して説明する。
【００１７】
図１は、本発明の定温保管用具の実施の一形態を示す図であり、（ａ）は外観斜視図、（ｂ）は裏面側から見た図、（ｃ）は（ｂ）に示したＡ−Ａ’断面図である。
【００１８】
本形態は図１に示すように、アルミ等からなり、可撓性を有する表シート１１と中シート１３と裏シート１２とが順次重ね合わされて構成されている。
【００１９】
表シート１１と中シート１３とはその４辺にて封着されており、それにより、表シート１１と中シート１３との間にてそれらの４辺にて囲まれた領域が第１の収納部２１となっている。この収納部２１には、第１の蓄熱剤４１が収納されている。蓄熱剤４１は、表シート１１と中シート１３とがその４辺にて封着されていることにより、収納部２１に取り出し不可能に収納されている。
【００２０】
裏シート１２と中シート１３とは上部を除く３辺にて封着されており、裏シート１２と中シート１３との間にてそれらの上部の１辺を開口部とした第２の収納部２２が形成されている。
【００２１】
裏シート１２の収納部２２とは反対側にはその上部に取り付け部となる面ファスナー３０が取り付けられている。
【００２２】
以下に、上記のように構成された定温保管用具１の使用方法について説明する。
【００２３】
図２は、図１に示した定温保管用具１の保管容器への取り付け方法を説明するための図であり、（ａ）は定温保管用具１を保管容器に取り付ける際の外観斜視図、（ｂ）は（ａ）に示した矢印Ａ方向から見た保管容器１００の内部構造を示す図である。
【００２４】
図１に示した定温保管用具１は図２に示すように、裏シート１２に取り付けられた面ファスナー３０を用いて保管容器１００に取り付けられる。保管容器１００は、底部１３０と、底部１３０上に起立した４つの側壁部１１０とを有し、底部１３０と側壁部１１０とによって囲まれた領域が、被保管物が収容される収容スペース１４０となっている。収容スペース１４０の底部１３０とは反対側には蓋部１２０が開閉可能に取り付けられており、蓋部１２０を開けた状態で被保管物が出し入れされ、蓋部１２０が閉じられた状態で被保管物が所望の温度で保管されることになる。なお、保管容器１００の底部１３０、側壁部１１０及び蓋部１２０の収納スペース１４０側の面のそれぞれが、本発明における内壁面となる。
【００２５】
保管容器１００の側壁部１１０には、底部１３０とは反対側の辺部に沿って面ファスナー５０が取り付けられている。そのため、定温保管用具１の裏シート１２に取り付けられた面ファスナー３０がこの面ファスナー５０に貼着されることにより、定温保管用具１が側壁部１１０に固定されて保管容器１００に取り付けられる。この際、面ファスナー３０は、収納部２２の収納部２１とは反対側となる裏シート１２に取り付けられているため、収納部２１，２２のうち収納部２１が収容スペース１４０側となり、収納部２１の側壁部１１０側に収納部２２が隣接するように定温保管用具１が保管容器１００に取り付けられ、その取り付け向きを間違えることがない。
【００２６】
このように保管容器１００に取り付けられた定温保管用具１に対して、収納部２２に第２の蓄熱剤４２が収納される。収納部２２は、裏シート１２と中シート１３との間にてそれらの上部の１辺が開口部となっているため、この開口部から蓄熱剤４２を収納することができる。すなわち、収納部２２は蓄熱剤４２を取り出し可能に収納する構成となっている。この際、収納部２１は、表シート１１と中シート１３とがその４辺にて封着されて構成されているため、収納部２１に蓄熱剤４２を収納することが不可能であり、蓄熱剤４２が間違えて収納部２１に収納されてしまうことがない。
【００２７】
なお、図２においては、保管容器１００の４つの側壁部１１０のうち１つの側壁部１１０に定温保管用具１が取り付けられた場合を例に挙げて説明したが、保管容器１００の２つの側壁部１１０、３つの側壁部１１０あるいは４つの側壁部１１０の全てに定温保管用具１を取り付けてもよいことは言うまでもない。
【００２８】
上述したように、図１に示した定温保管用具１を使用する場合は、裏シート１２に取り付けられた面ファスナー３０によって定温保管用具１が保管容器１００に取り付けられるので、保管容器１００に対する取り付け向きを間違えてしまうことがない。また、２つの蓄熱剤２１，２２のうち一方の蓄熱剤４１が収納部２１に取り出し不可能に収納されているので、使用時には収納部２２に他方の蓄熱剤４２を収納するだけとなり、２つの収納部２１，２２に蓄熱剤４１，４２を入れ間違えることがない。このように、定温保管用具１が保管容器１００に正しい向きで取り付けられ、かつ、２つの収納部２１，２２に蓄熱剤４１，４２を入れ間違えることがないことから、保管容器１００の収容スペース１４０に収容される被保管物に対する２つの蓄熱剤４１，４２の位置関係が誤ったものとなることがない。
【００２９】
以下に、上記のようにして保管容器１００に取り付けられた定温保管用具１による作用について説明する。
【００３０】
図３は、図１に示した定温保管用具１が図２に示したように保管容器１００に取り付けられた際の作用を説明するための図である。なお、図３においては、保管容器１００の蓋部１２０の図示は省略してある。
【００３１】
図２に示した保管容器１００に、例えば、検体等のように、冷やされすぎることが好ましくないものを収容して保管する場合、蓄熱剤４１を凝固させず蓄熱剤４２のみを凝固させて使用する。蓄熱剤４２は、定温保管用具１の収納部２２から取り出し可能であるため、冷凍庫等にて余計なスペースをとることなく容易に冷却することができる。また、蓄熱剤４１を凝固させないため、蓄熱剤４１が定温保管用具１から取り出すことができなくても、定温保管用具１を冷凍庫等にて入れる必要がない。
【００３２】
この場合、蓄熱剤４１が凝固していない状態であることからクッション性を有し、また、表シート１１が可撓性を有するものであることから、図３に示すように、蓄熱剤４１が、保管容器１００の収容スペース１４０に収容された物品２００の形状に沿って変形し、収納部２１を構成する表シート１１を介して物品２００の外面に蓄熱剤４１が密着することになる。
【００３３】
このように物品２００が収容スペース１４０に収容された状態において、蓄熱剤４２が凝固しており、蓄熱剤４１が凝固していないことにより、蓄熱剤４１，４２間の熱エネルギーＪ1の交換によって、蓄熱剤４１が蓄熱剤４２によって冷却される。そして、冷却された蓄熱剤４１と物品２００との間の熱エネルギーＪ2の交換によって、物品２００が蓄熱剤４１によって保冷される。このように、物品２００が、凝固された蓄熱剤４２によって、凝固していない蓄熱剤４１を介して間接的に保冷されることになる。これにより、物品２００の温度が、凝固していない蓄熱剤４１の凝固点よりも低くなることがなくなり、物品２００が冷やされすぎることを回避することができる。
【００３４】
この際、上述したように、表シート１１を介して物品２００の外面に蓄熱剤４１が密着しているため、物品２００の保冷効果が向上する。また、表シート１１が可撓性を有するものであり、また、蓄熱剤４１がクッション性を有する状態であることから、物品２００を衝撃から保護することができる。特に、物品２００を保管容器１００に収容する際に、物品２００の大きさが収容スペース１４０と同等である場合や、多数の物品を収納スペース１４０に詰め込む場合、収容する物品が外側から圧力を受けることになるが、その場合でも、蓄熱剤４１がクッションの代わりとなって受ける圧力を和らげることができる。
【００３５】
また、蓄熱剤４１は、凝固していない状態においては定型性を有さないものとなっている。そのため、保管容器１００が傾けられたり、蓋部１２０の内壁面に定温保管用具１を取り付けられたりした場合、振動等によって蓄熱剤４１が定温保管用具１から意図せずに脱落してしまう虞れがある。ところが、凝固していない蓄熱剤４１は、収納部２１にて取り出し不可能に収納されているため、定温保管用具１から意図せずに脱落してしまうことがない。
【００３６】
なお、本形態においては、物品２００として、冷やされすぎることが好ましくないものを保管容器１００に収容して保管する際に、蓄熱剤４１を凝固させず蓄熱剤４２のみを凝固させ、それにより、物品２００を、凝固された蓄熱剤４２によって、凝固していない蓄熱剤４１を介して間接的に保冷する場合を例に挙げて説明したが、これとは反対に、寒冷地等において、２つの蓄熱剤４１，４２を用いて、保管容器１００に収容された被保管物を外気温よりも高い所望の温度で保管することもできる。例えば、検体等のように、冷やされすぎることが好ましくない被保管物を零下の環境下にて保管する場合等である。
【００３７】
その場合、収納部２１に収納された蓄熱剤４１を冷却して凝固させた状態とするとともに、収納部２２には、１０℃〜２０℃程度の室温にて放置されて凝固していない蓄熱剤４２を収納する。
【００３８】
すると、蓄熱剤４１が凝固しており、蓄熱剤４２が凝固していないことにより、蓄熱剤４１，４２間の熱エネルギーの交換によって、蓄熱剤４１の温度が上昇していく。そして、蓄熱剤４１の温度が融解点近傍で一定となり、それにより、被保管物が蓄熱剤４１の融解点近傍の温度で保管されることになる。
【００３９】
（他の実施の形態）
図４は、本発明の定温保管用具の他の実施の形態を示す図であり、（ａ），（ｂ）は外観斜視図、（ｃ）は裏面側から見た図、（ｄ）は（ｃ）に示したＡ−Ａ’断面図である。
【００４０】
本形態は図４に示すように、図１に示したものに対して、裏シート３１２が収納部３２２の開口部側に延びて蓋部３１４を有しているとともに、蓋部３１４を折り畳んだ際に対向する表シート３１１と裏シート３１２のそれぞれの領域に、面ファスナー３３１，３３２が取り付けられ、さらに、裏シート３１２の収納部３２２とは反対側の面のうち蓋部３１４以外の全面に面ファスナー３３０が取り付けられている点が異なるものである。
【００４１】
上記のように構成された定温保管用具３０１においては、図４（ｂ）に示すように蓋部３１４を見開いた状態で収納部３２２に蓄熱剤を収納し、その後、図４（ａ）に示すように蓋部３１４を折り畳み、表シート３１１の面ファスナー３３１と蓋部３１４の面ファスナー３３２とが貼着されることにより、蓄熱剤が収納部３２２から脱落してしまうことを防止できる。また、面ファスナー３３０が、裏シート３１２の収納部３２２とは反対側の面のうち蓋部３１４以外の全面に取り付けられていることにより、保管容器の内壁面においても同様にその全面に面ファスナーを取り付けておくことにより、これら面ファスナーどうしが貼着することで、定温保管用具３０１を保管容器に強固に固定することができる。
【００４２】
なお、上述した実施の形態においては、定温保管用具１，３０１を保管容器に取り付けるための取り付け部として面ファスナー３０，３３０を例に挙げて説明したが、裏シート１２，３１２の収納部２２，３２２とは反対側の面にて保管容器に取り付けられるものであれば面ファスナーに限らない。
【符号の説明】
【００４３】
１，３０１    定温保管用具
１１，３１１    表シート
１２，３１２    裏シート
１３，３１３    中シート
２１，２２，３２１，３２２    収納部
３０，５０，３３０〜３３２    面ファスナー
４１，４２，３４１，３４２    蓄熱剤
１００    保管容器
１１０    側壁部
１２０，３１４    蓋部
１３０    底部
１４０    収容スペース
２００    物品
【図１】
2014125259.tif 000003
【図２】
2014125259.tif 000004
【図３】
2014125259.tif 000005
【図４】
2014125259.tif 000006